(57)【特許請求の範囲】
【請求項１】
番組タイトルを記録装置に録画し、録画された前記番組タイトルを再生する録画再生装置において、
話数を含む前記番組タイトルに関連する管理情報を管理する録画番組情報管理手段と、
録画された前記番組タイトルの再生制御を行う再生制御手段と、
前記録画番組情報管理手段によって管理されている前記管理情報から、前記再生された前記番組タイトルと同一のシリーズに属する番組タイトルである関連番組の関連番組情報を抽出する関連番組情報抽出手段と、
前記関連番組情報抽出手段により抽出される前記関連番組情報から前記関連番組の再生順位を示し、前記関連番組を話数順に並べると共に、話数が無い関連番組については、話数巡に並べられた関連番組の後に並べた関連番組再生順位テーブルを作成する関連番組再生順位テーブル生成手段と、
前記番組タイトルの再生を停止した場合、或いは前記番組タイトルの再生中の所定操作入力に対応して、前記関連番組再生順位テーブル生成手段により生成される再生順位テーブルを参照し、次再生番組タイトル候補を提示する次再生番組タイトル候補提示手段と
を具備することを特徴とする録画再生装置。
【請求項２】
次再生番組タイトル候補提示手段は、次再生番組タイトル候補の表示時、同一シリーズの個々のタイトルを識別しうる情報を表示することを特徴とする請求項１記載の録画再生装置。
【請求項３】
話数を含む番組タイトルに関連する管理情報を生成し、
録画された番組タイトルを再生し、
前記管理情報から前記再生された番組タイトルと同一のシリーズに属する番組タイトルである関連番組の関連番組情報を抽出し、
抽出された関連番組情報から関連番組の再生順位を示し、前記関連番組を話数順に並べると共に、話数が無い関連番組については、話数巡に並べられた関連番組の後に並べた再生順位テーブルを生成し、
前記番組タイトルの再生を停止した場合、或いは前記番組タイトルの再生中の所定操作入力に対応して、前記再生順位テーブルを参照して、次再生番組タイトル候補を提示する
ことを特徴とする番組再生方法。
【請求項４】
次再生番組タイトル候補の表示時、同一シリーズの個々のタイトルを識別しうる情報を表示することを特徴とする請求項３記載の番組再生方法。
【発明の詳細な説明】
【技術分野】
【０００１】
本発明は、ハードディスク等に複数の番組を録画し、複数の録画番組の中から選択される所望の録画番組を再生する録画再生装置及び番組再生方法に関する。
【背景技術】
【０００２】
近年、ハードディスク等に複数の番組を録画し、再生メニューに一覧表示される複数の録画番組の中から選択される所望の録画番組を再生する番組録画再生装置の普及が目覚しい。
【０００３】
例えば、このような番組録画再生装置は、放送波により送信される番組表を表示し、この番組表から選択される所望の番組の録画を予約することができる。また、各番組には、番組情報が付与されており、例えばシリーズ化されている番組の番組情報には次回放送予定日時情報が含まれている。このような番組情報を利用し、シリーズものなど関連のある番組を記録媒体から漏れなく検索して本来の順序で再生する技術が開示されている（特許文献１参照）。
【特許文献１】特開２００６−３１８５２３号公報
【発明の開示】
【発明が解決しようとする課題】
【０００４】
ところで、最近にシリーズ番組には、放映中に挿入され、シリーズの流れとは独立したスペシャルタイトルの番組が放映されることがある。このようなスペシャル番組は、シリーズの流れとは独立しているので、話数のついたタイトル群の最後（すなわち最終話の後）に候補としたい。
【０００５】
ところが、特許文献１の技術では、たくさんの番組コンテンツの中から絞り込み結果を提示するだけで、ユーザが容易に次の視聴対象を１つに特定できない。
【０００６】
本発明の目的は、記録装置に記録・保存された相当数のタイトル群の中から、関連性の高い番組を選択・決定して次の視聴候補としてユーザに提示することにより、ユーザは相当数のタイトル群の中から探すことなく、容易に次のタイトルを視聴することができる録画再生装置および番組再生方法を提供することにある。
【課題を解決するための手段】
【０００７】
本発明の一例に係わる、番組タイトルを記録装置に録画し、録画された前記番組タイトルを再生する録画再生装置は、話数を含む前記番組タイトルに関連する管理情報を管理する録画番組情報管理手段と、録画された前記番組タイトルの再生制御を行う再生制御手段と、前記録画番組情報管理手段によって管理されている前記管理情報から前記再生された前記番組タイトルと同一のシリーズに属する番組タイトルである関連番組の関連番組情報を抽出する関連番組情報抽出手段と、前記関連番組情報抽出手段により抽出される前記関連番組情報から前記関連番組の再生順位を示し、前記関連番組を話数順に並べると共に、話数が無い関連番組については、話数巡に並べられた関連番組の後に並べた関連番組再生順位テーブルを作成する関連番組再生順位テーブル生成手段と、前記番組タイトルの再生を停止した場合、或いは前記番組タイトルの再生中の所定操作入力に対応して、前記関連番組再生順位テーブル生成手段により生成される再生順位テーブルを参照し、次再生番組タイトル候補を提示する次再生番組タイトル候補提示手段とを具備することを特徴とする。
【発明の効果】
【０００８】
本発明によれば、記録装置に記録・保存された相当数のタイトル群の中から、関連性の高いタイトルを選択・決定して次の視聴候補としてユーザに提示することにより、ユーザは相当数のタイトル群の中から探すことなく、容易に次のタイトルを視聴することができる。
【発明を実施するための最良の形態】
【０００９】
本発明の実施の形態を以下に図面を参照して説明する。
【００１０】
図１は、本発明の一実施形態に係る情報記録再生装置（番組再生装置）の概略構成を示すブロック図である。
【００１１】
図１に示す情報記録再生装置１は、ＤＶＤなどの光ディスク１０とハードディスクドライブ部１４の双方に番組を録画することができる。なお、この情報記録再生装置１は、番組の録画先として、例えば半導体メモリを備えることもできる。
【００１２】
情報記録再生装置１は、ディスクドライブ部１２、ハードディスクドライブ部１４の２種類のディスクドライブ部を備える。ディスクドライブ部１２は、光ディスク１０を回転駆動し、情報の読み書きを実行する。ディスクドライブ部１２は、光ディスク１０に対する回転制御系、レーザ駆動系、光学系などを備える。また、ハードディスクドライブ部１４は、ハードディスクを駆動し、情報の読み書きを実行する。
【００１３】
また、情報記録再生装置１は、録再信号処理部２０、制御ＣＰＵ部３０を備えている。録再信号処理部２０には、チューナ部１８からの受信信号が入力される。
【００１４】
録再信号処理部２０は、エンコード処理機能と、デコード処理機能とを有する。先ず、録再信号処理部２０のエンコード処理機能について説明する。  
録再信号処理部２０は、トランスポートストリーム処理部及び複数のエンコーダを備えており、各エンコーダはアナログデジタルコンバータ、ビデオエンコーダ（主映像エンコーダと副映像エンコーダ）及びオーディオエンコーダを備えている。アナログデジタルコンバータは、入力されたアナログビデオ信号やアナログオーディオ信号をデジタル化する。主映像エンコーダはデジタルビデオ信号の主映像信号をエンコードし、オーディオエンコーダはデジタルオーディオ信号をエンコードし、副映像エンコーダはデジタルビデオ信号の副映像信号をエンコードする。より具体的には、ビデオエンコーダは、デジタルビデオ信号をＭＰＥＧ２またはＭＰＥＧ１規格に基づいて可変ビットレートで圧縮する。オーディオエンコーダは、デジタルオーディオ信号をＭＰＥＧまたはＡＣ−３規格に基づいて固定ビットレートで圧縮する。
【００１５】
録再信号処理部２０は、エンコード信号を所定のＤＶＤのフォーマットに変換する。具体的には、録再信号処理部２０は、エンコードされたデジタルビデオ信号、デジタルオーディオ信号、副映像データをパック化し、ビデオパック、オーディオパック、副映像パックを生成する。さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。
【００１６】
なお、トランスポートストリームから抽出したパケットエレメンタリーストリームが、録再信号処理部２０から直接ハードディスクドライブ部１４のハードディスクに記録される場合もある。
【００１７】
次に、録再信号処理部２０のデコード処理機能について説明する。録再信号処理部２０は、セパレータ、メモリ、ビデオデコーダ（主映像デコーダ及び副映像デコーダ）、オーディオデコーダ、ビデオプロセッサを備えている。セパレータは、パック構造を持つＤＶＤフォーマットの信号から各パックを分離して取り出す。メモリは、パック分離やその他の信号処理実行時に使用される。主映像デコーダは、セパレータで分離された主映像データ（ビデオパックの内容）をデコードする。副映像デコーダは、セパレータで分離された副映像データ（副映像パックの内容）をデコードする。オーディオデコーダは、セパレータで分離されたオーディオデータ（オーディオパックの内容）をデコードする。ビデオプロセッサは、デコードされた主映像にデコードされた副映像（メニュー、ハイライトボタン、字幕など）を合成する。
【００１８】
録再信号処理部２０は、ビデオ信号に、例えばテキストデータを合成して出力ビデオ信号を生成する。録再信号処理部２０から出力される出力ビデオ信号はそのまま外部へ出力され、外部（例えばモニタ７０）へ出力される。
【００１９】
録再信号処理部２０から出力されるデジタルオーディオ信号は、デジタルアナログ変換器でアナログオーディオ信号へ変換され外部（例えばスピーカ）に出力される。
【００２０】
キー入力部５０は、例えば情報記録再生装置の本体上に設けた操作スイッチ類及び本体から独立したリモートコントローラである。或いは、このキー入力部５０は、情報記録再生装置と有線通信あるいは無線通信により接続されるパーソナルコンピューターであってもよい。キー入力部５０は、例えば、番組ガイド表示キー、再生キー、停止キー、決定キー、十字キーを備えており、この十字キーは、上下キー及び左右キーを備えている。
【００２１】
制御ＣＰＵ部３０は、ＭＰＵ（マイクロプロセッシングユニット）またはＣＰＵ（セントラルプロセッシングユニット）と、制御プログラム等が書きこまれたＲＯＭとを備えている。情報記録再生装置１は、プログラム実行に必要なワークエリアを提供するためのメモリ部４０を備えている。さらに、制御ＣＰＵ部３０は、録画番組情報管理処理部３０１、関連番組情報抽出処理部３０２、関連番組再生順位テーブル生成処理部３０３、再生制御処理部３０４、および次再生番組候補提示処理部３０５等を備えている。
【００２２】
録画番組情報管理処理部３０１は、録再信号処理部２０によって例えばハードディスクドライブ部に録画されるタイトルの属性、タイトルの保存フォルダ、および再生履歴を含む前記録画タイトルに関連する情報を管理する。管理情報は、例えばハードディスクドライブ部に格納されている。
【００２３】
管理情報に含まれるタイトルの属性とは、例えば録画日時、放映チャンネル、番組タイトル、話数、ジャンル、出演者、番組内容の説明等の情報である。録画番組情報管理処理部３０１は、録画タイトルがデジタル放送の場合、例えば番組を提供するＴＳ（Transport Stream）に多重されて提供されている番組配列情報から取得する。番組配列情報は、電子番組ガイドの情報を提供するために送られている。
【００２４】
関連番組情報抽出処理部３０２は、前記番組タイトルの再生を停止した場合、或いは前記番組タイトルの再生中の所定操作入力に対応して、再生していた番組と、同一シリーズの番組の情報を抽出する。なお、同一シリーズの番組がない場合に、関連番組情報抽出処理部３０２は、同一ジャンルの番組の情報、或いは同一出演者が出演している番組の情報を抽出しても良い。
【００２５】
録画番組情報管理処理部３０１が管理する管理情報の例の一部を図２に示す。図２に示すように、管理情報には、録画日時、チャンネル、番組タイトル、話数等が管理されている。図２に示すように、ＡＡＡという番組タイトルのシリーズ物の第１話〜第１０話（最終話）、およびシリーズに属するＡＡＡ  スペシャルという番組がハードディスクドライブ部に格納されていることが分かる。ところで、ＡＡＡ  スペシャルは、ＡＡＡと同一シリーズでありながら、話数のつかないタイトル（スペシャルタイトル）がついている。
【００２６】
関連番組再生順位テーブル生成処理部３０３は、関連番組情報抽出処理部３０２が抽出した番組の情報から、番組の再生順位テーブルを生成する。再生していた番組がシリーズ物の場合、話数順に並べる。
【００２７】
関連番組再生順位テーブル生成処理部３０３は、図２に示す管理情報のように同一シリーズでありながら話数がつかない番組がある場合、再生したタイトルに対する次の候補としては、シリーズの流れを考慮して、話数順で候補を決定する。（例：再生したタイトルが第３話であれば、次再生候補は第４話）。そして、スペシャルタイトルについては、これをシリーズの流れとは独立したものとして位置づけ、話数のついたタイトル群の最後（すなわち最終話の後）に候補として入れる。このようなシリーズの再生順序を決定づけるための順列をシリーズ候補順列とする（図３）。
【００２８】
再生制御処理部３０４は、ハードディスクドライブ部１４内の録画番組の再生処理の制御を実行する。
【００２９】
次再生番組候補提示処理部３０５は、図４に示すような選択メニュー画面Ｄ２を生成する。選択メニュー画面Ｄ２には、“〜  ＡＡＡ  第２話  〜”の他に、“次のタイトルを見る：ＡＡＡ  第３話”、“ゴミ箱へ”、“即削除”、“お気に入りにする（保護設定）”などの選択肢が表示される。選択メニュー画面Ｄ２がモニタ７０に表示された状態での上下キーの操作（押下）に対応して、各選択肢上をカーソルが移動する。所望の選択肢にカーソルが位置した状態での決定キーの操作（押下）に対応して、所望の選択肢が選択される。
【００３０】
“ＡＡＡ  第２話”は、ユーザが視聴再生していた番組タイトル名である。また、“ＡＡＡ  第３話”は次の再生候補としてシステムが提示する番組タイトル名である。
【００３１】
上記実施例では、ユーザがＡＡＡ第２話を再生していた場合のポップアップ画面の次再生候補はＡＡＡ第３話が表示される。したがって本例において、スペシャルが次再生候補として表示されるのは、ユーザがＡＡＡ第１０話（最終話）を再生したときのポップアップ画面、となる。
【００３２】
なお、「次のタイトルを見る：ＡＡＡ  第２話」にフォーカスがあたった状態で、十字キーの左右キーを操作することにより、変更入力指示が次再生番組候補提示処理部３０５に入力され、図３に示す順列にしたがって再生候補を次々と変更表示することができる。
【００３３】
通常、次の再生候補となる番組名（タイトル情報）を表示するが、この番組名の文字数が画面に表示可能な文字数よりも多い場合の選択メニュー画面Ｄ２の例を図５に示す。
【００３４】
図５に示すように、番組名の、先頭から数文字以降の文字を省略表示する。しかしながら、上述のような一連のシリーズタイトルにおいて、話数「第Ｘ話」や「スペシャル」といったシリーズの中でそれぞれのタイトルを決定づける情報（文字列）は、ユーザが個々のタイトルを識別するために不可欠な情報であるので、これらを省略対象から外し画面に表示させる。
【００３５】
制御ＣＰＵ部３０の実行結果のうち、ユーザに通知すべき内容は、情報記録再生装置の表示部に表示されるか、または情報記録再生装置に接続されるモニタ７０ーディスプレイにＯＳＤ（オンスクリーンディスプレイ）表示される。
【００３６】
また、制御ＣＰＵ部３０にはキー入力部５０からの操作入力信号が入力される。このキー入力部５０を介しての操作入力に基づき、情報記録再生装置は、再生、停止、録画、編集などを実行する。さらに、このキー入力部５０を介しての操作入力に基づき、情報記録再生装置は、後述する次再生候補提示・再生処理なども実行する。
【００３７】
次に、図６のフローチャートを参照して、次再生候補提示・再生処理の手順を説明する。
【００３８】
先ず、再生中に停止キーが操作された場合、または再生後に決定キーが操作された場合、関連番組情報抽出処理部３０２は、再生していたタイトルを特定する（ステップＳ１１）。そして、録画番組情報管理処理部３０１が管理する管理情報から再生タイトルと同一シリーズの番組の情報を抽出する（ステップＳ１２）。関連番組情報抽出処理部３０２は、抽出した情報を関連番組再生順位テーブル生成処理部３０３に送る。
【００３９】
関連番組再生順位テーブル生成処理部３０３は、抽出された番組の話数、およびスペシャルタイトルに応じて再生順序が記述された関連番組再生順位テーブルを作成する（ステップＳ１３）。本実施形態の場合、話数順に番組を並べ、最後にスペシャルタイトルの番組を付加する。関連番組再生順位テーブル生成処理部３０３は、関連番組再生順位テーブルを次再生番組候補提示処理部３０５に送る。
【００４０】
次再生番組候補提示処理部３０５は、選択メニュー画面Ｄ２に表示すべき再生候補タイトルを特定する（ステップＳ１４）。ここでは、先ず再生タイトルの話数の下位の順位の番組を関連番組再生順位テーブルから抽出し、抽出した番組を再生候補タイトルとして特定する。
【００４１】
次再生番組候補提示処理部３０５は、特定した再生候補タイトルをモニタ７０に図４に示す選択メニュー画面Ｄ２を表示するためのデータを作成し、モニタ７０に特定した再生候補タイトルを含む選択メニュー画面Ｄ２を表示する（ステップＳ１５）。
【００４２】
ユーザが十字キーの左右キーを操作したら（ステップＳ１６の左右キー）、次再生番組候補提示処理部３０５は、左右キーの操作方向と現在の再生候補タイトルの順位と関連番組再生順位テーブルに記載された順位に基づいて、選択メニュー画面Ｄ２に表示すべき再生候補タイトルを特定する（ステップＳ１４）。そして、特定した再生候補タイトルを含む選択メニュー画面Ｄ２を再表示する。
【００４３】
ユーザが決定キーを操作したら（ステップＳ１６の決定キー）、再生制御処理部３０４は、選択メニュー画面Ｄ２に表示されている再生候補タイトルの再生処理を行う（ステップＳ１７）。
【００４４】
次に、図４に示す選択メニュー画面Ｄ２、図７に示す画面遷移例、図８に示すフローチャートを参照して、上記説明した情報記録再生装置による次再生候補提示・再生処理、仮削除処理、削除処理、保護処理について説明する。
【００４５】
図８のフローチャートに示すように、番組の再生中の決定キーの操作（押下）に対応して（ＳＴ１０１、ＹＥＳ）、再生中の番組（以下、第１の番組と称する）が処理対象となり（ＳＴ１０２）、図４及び図７に示す選択メニュー画面Ｄ２が表示される。
【００４６】
また、再生中の終了キーの操作（押下）に対応して、直前に再生した番組（上記と同様に、以下、第１の番組と称する）が処理対象となり（ＳＴ１０４）、選択メニュー画面Ｄ２（図４及び図７参照）が表示される（ＳＴ１０５）。
【００４７】
図４及び図７に示すように、選択メニュー画面Ｄ２には、複数の選択肢が表示される。例えば、選択メニュー画面Ｄ２には、次のタイトルを見る:番組名、ゴミ箱へ、即削除、お気に入り（保護）などの選択肢が表示される。選択メニュー画面Ｄ２がモニタ７０に表示された状態での上下キーの操作（押下）に対応して、各選択肢上をカーソルが移動する。所望の選択肢にカーソルが位置した状態での決定キーの操作（押下）に対応して、所望の選択肢が選択される（ＳＴ１０６、ＹＥＳ）。
【００４８】
例えば、選択肢「次のタイトルを見る:番組名」が選択されると、再生制御処理部３０４より次再生候補再生処理が実行される。画面上で選択されたタイトルに基づき、制御ＣＰＵ部３０は、「次のタイトルを再生します」の案内をモニタ７０に表示し（図７の再生案内画面Ｄ５）、再生制御処理部３０４は、次の番組の再生を開始する（図７の再生中画面Ｄ１０、ＳＴ１０８）。
【００４９】
図８のフローチャートに示すように、例えば、選択肢「ゴミ箱へ」が選択されると、制御ＣＰＵ部３０により仮削除処理が実行される（ＳＴ１１０）。具体的には、制御ＣＰＵ部３０は、第１の番組をゴミ箱フォルダへ移動させる。なお、第１の番組が再生中の場合には第１の番組の再生が中断されてから、制御ＣＰＵ部３０は第１の番組をゴミ箱フォルダへ移動させ、制御ＣＰＵ部３０は「第１の番組（番組名）をゴミ箱に移動しました」の案内をモニタ７０に表示する（図７の仮削除案内画面Ｄ３、ＳＴ１１１）。ゴミ箱フォルダに集められた番組ファイルは、ゴミ箱フォルダ内のデータを空にする操作により、一括削除できる。
【００５０】
例えば、選択肢「即削除」が選択されると、制御ＣＰＵ部３０により削除処理が実行される（ＳＴ１１２）。具体的には、制御ＣＰＵ部３０は、第１の番組を即削除する。なお、第１の番組が再生中の場合には第１の番組の再生が中断されてから、制御ＣＰＵ部３０は第１の番組を即削除し、制御ＣＰＵ部３０は「第１の番組（番組名）を削除しました」の案内をモニタ７０に表示する（図７の削除案内画面Ｄ４、ＳＴ１１３）。
【００５１】
例えば、選択肢「保護設定」が選択されると、制御ＣＰＵ部３０により保護処理が実行される（ＳＴ１１４）。具体的には、制御ＣＰＵ部３０は、第１の番組の削除（即削除）を禁止する、制御ＣＰＵ部３０は「第１の番組（番組名）を保護設定しました」の案内をモニタ７０に表示する（図７の保護設定案内画面Ｄ７、ＳＴ１１５）。
【００５２】
上記説明した実施形態により、以下の効果が得られる。
【００５３】
再生中又は再生直後の簡単なユーザ操作にて、再生中の番組又は直前の再生番組の次回番組を即時に再生することができる。また、話数がないスペシャルタイトルが有る場合、スペシャルタイトルを再生候補中のシリーズの後の方に持ってくることで、番外編等の直接本編に係わりがある番組を連続的に見ることが容易になる。
【００５４】
なお、ユーザの設定によっては、スペシャルタイトルの含まれたシリーズタイトル群の再生において、上述（図３）のようなシリーズ候補順列の代わりに、図９に示すように、タイトルの録画日時順にしたがったシリーズ候補順列、とすることも考えられる。
【００５５】
なお、同一シリーズの番組がない場合、記録装置に記録されたタイトル群の中から、再生タイトルと同一のジャンル（例、音楽、ドラマ。。。）に属するものを再生候補として提示指定も良い。
【００５６】
次の再生候補タイトルを決定・表示する際に、上記では同一のジャンルに属するもの、としているが、同一のジャンルの代わりに、同一の出演者が含まれているタイトルを再生候補として表示しても良い。
【００５７】
また、同一のジャンルの代わりに、番組名（タイトル情報）にあるキーワードが含まれるタイトルを再生候補として表示しても良い。例えば、キーワードとして番組名に[新]が含まれるタイトルを次の再生候補とする場合には、ユーザはある[新]番組を視聴し、再生中／再生停止操作により、容易に[新]番組だけを視聴することが可能となり、さらに気に入ったものだけをシリーズ予約や毎○予約化する、といったことが可能となる。
【００５８】
上述のような、次再生候補を決定するための条件（同一ジャンル、同一出演者、キーワードなど）は複数組み合わせてもよい。
【００５９】
次の再生候補タイトルを決定・表示する際に、上記のように同一フォルダ内のタイトルで録画日時に従って関連番組再生順位テーブルを生成するのではなく、同一フォルダ内の未再生のタイトルの中で録画日時順に従って関連番組再生順位テーブルを生成する、ことも考えられる。
【００６０】
また同一フォルダ内で次の再生候補が存在しない場合には、フォルダ内にとどまらず装置全体で録画日時順に従って関連番組再生順位テーブルを作成する、次再生番組候補として表示することも考えられる。
【００６１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６２】
【図１】本発明の一実施形態に係る情報記録再生装置（録画再生装置）の概略構成を示すブロック図。
【図２】図１に示す録画番組情報管理処理部が管理する管理情報の例の一部を示す図。
【図３】図１に示す関連番組再生順位テーブル生成処理部が生成する番組の再生順位テーブルの例を示す図。
【図４】選択メニュー画面の一例を示す図。
【図５】選択メニュー画面の一例を示す図。
【図６】次再生候補提示・再生処理の手順を示すフローチャート。
【図７】画面遷移の一例を示す図。
【図８】情報記録再生装置による次再生候補提示・再生処理、仮削除処理、削除処理、保護処理の一例を示すフローチャート。
【図９】図１に示す関連番組再生順位テーブル生成処理部が生成する番組の再生順位テーブルの例を示す図。
【符号の説明】
【００６３】
１…情報記録再生装置，１０…光ディスク，１２…ディスクドライブ部，１４…ハードディスクドライブ部，１８…チューナ部，２０…録再信号処理部，３０…ＣＰＵ部，４０…メモリ部，５０…キー入力部，７０…モニタ，３０１…録画番組情報管理処理部，３０２…関連番組情報抽出処理部，３０３…関連番組再生順位テーブル生成処理部，３０４…再生制御処理部，３０５…次再生番組候補提示処理部。
【図１】
0004987663.tif 000002
【図２】
0004987663.tif 000003
【図３】
0004987663.tif 000004
【図４】
0004987663.tif 000005
【図５】
0004987663.tif 000006
【図６】
0004987663.tif 000007
【図７】
0004987663.tif 000008
【図８】
0004987663.tif 000009
【図９】
0004987663.tif 000010